【手続補正書】
【提出日】平成15年11月25日(2003.11.25)
【手続補正１】
【補正対象書類名】明細書
【補正対象項目名】特許請求の範囲
【補正方法】変更
【補正の内容】
【特許請求の範囲】
【請求項１】
記録材上のトナー像を加熱するための熱源、
該熱源が内側に配置された加熱回転体、
支持基体と該支持基体上に形成された低硬度弾性層を有し、記録材を前記加熱回転体に圧接させる加圧回転体、
前記加熱回転体又は前記加圧回転体の温度を検知する温度センサ、
前記加熱回転体と前記加圧回転体の少なくとも一方を回転駆動する駆動手段及び、
前記駆動手段を制御して、待機時において、加熱回転体及び前記加圧回転体の回転動作を行わせる制御手段を有する定着装置を備えた画像形成装置であって、
前記制御手段は、前記温度センサの検知出力に基づいて前記回転動作の周期を制御することを特徴とする画像形成装置。
【請求項２】
前記加熱回転体の待機時における設定温度が複数段階に設定され、前記制御手段は前記複数段階の前記設定温度の各々に対応して前記周期を設定することを特徴とする請求項１に記載の画像形成装置。
【請求項３】
待機状態における前記温度センサの検知出力と回転停止状態での経過時間との両方の情報に基づいて前記周期を制御することを特徴とする請求項１又は請求項２に記載の画像形成装置。
【請求項４】
待機時において回転した前記加圧回転体が回転前と位相が異なる位置で停止するように前記制御手段が制御することを特徴とする請求項１〜３のいずれか１項に記載の画像形成装置。
【請求項５】
前記熱源がハロゲンランプ又は抵抗発熱体からなることを特徴とする請求項１〜４のいずれか１項に記載の画像形成装置。
【請求項６】
前記加圧回転体の内側に熱源が設けられたことを特徴とする請求項１〜５のいずれか１項に記載の画像形成装置。
【請求項７】
前記加熱回転体が弾性層を有することを特徴とする請求項１〜６のいずれか１項に記載の画像形成装置。
【請求項８】
前記加熱回転体又は前記加圧回転体がその表面に離型性層を有することを特徴とする請求項１〜７のいずれか１項に記載の画像形成装置。
【手続補正２】
【補正対象書類名】明細書
【補正対象項目名】００１０
【補正方法】変更
【補正の内容】
【００１０】
（１）記録材上のトナー像を加熱するための熱源、
該熱源が内側に配置された加熱回転体、
支持基体と該支持基体上に形成された低硬度弾性層を有し、記録材を前記加熱回転体に圧接させる加圧回転体、
前記加熱回転体又は前記加圧回転体の温度を検知する温度センサ、
前記加熱回転体と前記加圧回転体の少なくとも一方を回転駆動する駆動手段及び、
前記駆動手段を制御して、待機時において、加熱回転体及び前記加圧回転体の回転動作を行わせる制御手段を有する定着装置を備えた画像形成装置であって、
前記制御手段は、前記温度センサの検知出力に基づいて前記回転動作の周期を制御することを特徴とする画像形成装置。
【手続補正３】
【補正対象書類名】明細書
【補正対象項目名】００１１
【補正方法】変更
【補正の内容】
【００１１】
（２）前記加熱回転体の待機時における設定温度が複数段階に設定され、前記制御手段は前記複数段階の前記設定温度の各々に対応して前記周期を設定することを特徴とする前記（１）に記載の画像形成装置。
【手続補正４】
【補正対象書類名】明細書
【補正対象項目名】００１２
【補正方法】変更
【補正の内容】
【００１２】
（３）待機状態における前記温度センサの検知出力と回転停止状態での経過時間との両方の情報に基づいて前記周期を制御することを特徴とする前記（１）又は前記（２）に記載の画像形成装置。
【手続補正５】
【補正対象書類名】明細書
【補正対象項目名】００１３
【補正方法】変更
【補正の内容】
【００１３】
（４）待機時において回転した前記加圧回転体が回転前と位相が異なる位置で停止するように前記制御手段が制御することを特徴とする前記（１）〜（３）のいずれか１項に記載の画像形成装置。
【手続補正６】
【補正対象書類名】明細書
【補正対象項目名】００１４
【補正方法】変更
【補正の内容】
【００１４】
（５）前記熱源がハロゲンランプ又は抵抗発熱体からなることを特徴とする前記（１）〜（４）のいずれか１項に記載の画像形成装置。
【手続補正７】
【補正対象書類名】明細書
【補正対象項目名】００１５
【補正方法】変更
【補正の内容】
【００１５】
（６）前記加圧回転体の内側に熱源が設けられたことを特徴とする前記（１）〜（５）のいずれか１項に記載の画像形成装置。
【手続補正８】
【補正対象書類名】明細書
【補正対象項目名】００１６
【補正方法】変更
【補正の内容】
【００１６】
（７）前記加熱回転体が弾性層を有することを特徴とする前記（１）〜（６）のいずれか１項に記載の画像形成装置。
【手続補正９】
【補正対象書類名】明細書
【補正対象項目名】００１７
【補正方法】変更
【補正の内容】
【００１７】
（８）前記加熱回転体又は前記加圧回転体がその表面に離型性層を有することを特徴とする前記（１）〜（７）のいずれか１項に記載の画像形成装置。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】削除
【補正の内容】
【手続補正４５】
【補正対象書類名】明細書
【補正対象項目名】００５３
【補正方法】削除
【補正の内容】
【手続補正４６】
【補正対象書類名】明細書
【補正対象項目名】００５４
【補正方法】削除
【補正の内容】
【手続補正４７】
【補正対象書類名】明細書
【補正対象項目名】００５５
【補正方法】削除
【補正の内容】
【手続補正４８】
【補正対象書類名】明細書
【補正対象項目名】００７２
【補正方法】変更
【補正の内容】
【００７２】
【表１】
2001051533.tif 000001